(57)【要約】【課題】鍵データ記録システム及び再生装置において、簡易な構成で鍵データの書込みができ、製造コストを抑制する。【解決手段】鍵データ記録システムは、ＨＤＣＰキー（鍵データ）を送信する送信機器と、この送信機器にＨＤＭＩケーブルを介して接続されたＤＶＤレコーダとを含み、送信機器及びＤＶＤレコーダは、ＨＤＭＩ−ＣＥＣ規格に基づいて通信を行う。まず、送信機器がＤＶＤレコーダに受信状態要求コマンドを送信すると（Ｓ１）、ＤＶＤレコーダがＨＤＣＰキーを受信可能な受信モードに移行する（Ｓ３）。そして、ＤＶＤレコーダは、受信モードに移行した旨を通知するコマンドを送信機器に送信し（Ｓ４）、送信機器がＨＤＣＰキーをＤＶＤレコーダに送信する（Ｓ５）。そして、ＤＶＤレコーダ３は、受信したＨＤＣＰキーをフラッシュメモリに書込む（Ｓ６）。【選択図】図３
2010277651.tif 000002
【特許請求の範囲】
【請求項１】
ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）認証を行うための鍵データを送信する送信機器と、該送信機器から送信された該鍵データを受信して記録する再生装置とを含む鍵データ記録システムにおいて、
前記送信機器と前記再生装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、
前記送信機器は、
前記ＨＤＭＩケーブルを介して前記再生装置と接続するための送信機器側ＨＤＭＩ端子と、
前記再生装置に対して、前記鍵データを受信可能である状態に移行するように要求する受信状態要求命令を送信する受信状態要求命令送信手段と、
前記再生装置に対して、前記鍵データを送信する鍵データ送信手段とを備え、
前記再生装置は、
前記ＨＤＭＩケーブルを介して前記送信機器と接続するための再生装置側ＨＤＭＩ端子と、
前記送信機器から送信された前記受信状態要求命令及び前記鍵データを受信する情報受信手段と、
前記送信機器に対して、前記鍵データを受信可能な状態である旨の情報を送信する受信状態送信手段と、
前記情報受信手段により受信した鍵データを記録するための鍵データ記録手段とを備え、
前記再生装置は、
前記送信機器が前記受信状態要求命令送信手段を用いて送信した前記受信状態要求命令を、前記情報受信手段を用いて受信したときに、前記鍵データを受信可能な状態に移行すると共に、前記受信状態送信手段を用いて、前記鍵データを受信可能な状態である旨の情報を前記送信機器に送信した後、
前記送信機器が前記鍵データ送信手段を用いて送信した前記鍵データを、前記情報受信手段を用いて受信し、受信した前記鍵データを前記鍵データ記録手段に記録することを特徴とする鍵データ記録システム。
【請求項２】
前記送信機器と、前記再生装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１に記載の鍵データ記録システム。
【請求項３】
ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）認証を行うための鍵データを送信する送信機器とＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され得る再生装置において、
前記ＨＤＭＩケーブルを介して前記送信機器と接続するための再生装置側ＨＤＭＩ端子と、
前記送信機器から送信された、該再生装置に対して前記鍵データを受信可能である状態に移行するように要求する命令である受信状態要求命令及び前記鍵データを受信する情報受信手段と、
前記送信機器に対して、前記鍵データを受信可能な状態である旨の情報を送信する受信状態送信手段と、
前記情報受信手段により受信した前記鍵データを記録するための鍵データ記録手段とを備え、
前記送信機器が送信した前記受信状態要求命令を、前記情報受信手段を用いて受信したときに、前記鍵データを受信可能な状態に移行すると共に、前記受信状態送信手段を用いて、前記鍵データを受信可能な状態である旨の情報を前記送信機器に送信した後、
前記送信機器が送信した前記鍵データを、前記情報受信手段を用いて受信し、受信した前記鍵データを前記鍵データ記録手段に記録することを特徴とする再生装置。
【請求項４】
前記送信機器とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項３に記載の再生装置。
【発明の詳細な説明】
【技術分野】
【０００１】
本発明は、鍵データを再生装置に記録可能な鍵データ記録システム、及び鍵データを記録可能な再生装置に関する。
【背景技術】
【０００２】
近年、著作権保護の観点から、ＨＤＭＩケーブルを介して表示装置にデジタル信号を送受信する経路における信号を暗号化し、コンテンツが不正にコピーされるのを防止する著作権保護技術として、ＨＤＣＰ（High-bandwidth Digital Content Protection）が普及している。ＨＤＣＰでは、コンテンツを送出する側が受信側を認証し、コンテンツの暗号に使う鍵（以下、ＨＤＣＰキーという）を共有する公開鍵暗号化方式を採用する。
【０００３】
ところで、従来から、工場出荷時にＤＶＤレコーダ等の機器にＨＤＣＰキーの記録を行っている。具体的には例えば、ＨＤＣＰキー書込み装置（以下、送信機器という）と、ＤＶＤレコーダとを専用ケーブルを介して接続し、送信機器からＨＤＣＰキーを送信することにより、このＨＤＣＰキーを受信したＤＶＤレコーダが自身のフラッシュメモリにＨＤＣＰキーを記録する。このように、ＨＤＣＰキーの書込みには、送信機器とＤＶＤレコーダとを接続するための専用ケーブルが必要であり、なおかつ、送信機器とＤＶＤレコーダには専用ケーブルを接続するための専用の接続端子を設ける必要があるため、送信機器とＤＶＤレコーダの製造コストを抑制できないという問題がある。
【０００４】
これに対して、特許文献１及び２には、フラッシュメモリにデバイスキーを書込むための専用光ディスクを予め作成し、この光ディスクを用いてデバイスキーを書込む光ディスク再生装置が開示されている。しかしながら、この種の装置では、装置毎に光ディスクが必要となるため、製造コストを十分に抑制することができない。
【先行技術文献】
【特許文献】
【０００５】
【特許文献１】特開２００４−３５５６８８号公報
【特許文献２】特開２００５−６３５０５号公報
【発明の概要】
【発明が解決しようとする課題】
【０００６】
本発明は、上述した問題点を解決するためになされたものであり、簡易な構成で鍵データの書込みを行うことができると共に、製造コストを抑制することが可能な鍵データ記録システム及び再生装置を提供することを目的とする。
【課題を解決するための手段】
【０００７】
上記目的を達成するために請求項１の発明は、ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）認証を行うための鍵データを送信する送信機器と、該送信機器から送信された該鍵データを受信して記録する再生装置とを含む鍵データ記録システムにおいて、前記送信機器と前記再生装置とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され、前記送信機器は、前記ＨＤＭＩケーブルを介して前記再生装置と接続するための送信機器側ＨＤＭＩ端子と、前記再生装置に対して、前記鍵データを受信可能である状態に移行するように要求する受信状態要求命令を送信する受信状態要求命令送信手段と、前記再生装置に対して、前記鍵データを送信する鍵データ送信手段とを備え、前記再生装置は、前記ＨＤＭＩケーブルを介して前記送信機器と接続するための再生装置側ＨＤＭＩ端子と、前記送信機器から送信された前記受信状態要求命令及び前記鍵データを受信する情報受信手段と、前記送信機器に対して、前記鍵データを受信可能な状態である旨の情報を送信する受信状態送信手段と、前記情報受信手段により受信した鍵データを記録するための鍵データ記録手段とを備え、前記再生装置は、前記送信機器が前記受信状態要求命令送信手段を用いて送信した前記受信状態要求命令を、前記情報受信手段を用いて受信したときに、前記鍵データを受信可能な状態に移行すると共に、前記受信状態送信手段を用いて、前記鍵データを受信可能な状態である旨の情報を前記送信機器に送信した後、前記送信機器が前記鍵データ送信手段を用いて送信した前記鍵データを、前記情報受信手段を用いて受信し、受信した前記鍵データを前記鍵データ記録手段に記録するものである。
【０００８】
請求項２に記載の発明は、請求項１に記載の鍵データ記録システムにおいて、前記送信機器と、前記再生装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【０００９】
請求項３に記載の発明は、ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）認証を行うための鍵データを送信する送信機器とＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続され得る再生装置において、前記ＨＤＭＩケーブルを介して前記送信機器と接続するための再生装置側ＨＤＭＩ端子と、前記送信機器から送信された、該再生装置に対して前記鍵データを受信可能である状態に移行するように要求する命令である受信状態要求命令及び前記鍵データを受信する情報受信手段と、前記送信機器に対して、前記鍵データを受信可能な状態である旨の情報を送信する受信状態送信手段と、前記情報受信手段により受信した前記鍵データを記録するための鍵データ記録手段とを備え、前記送信機器が送信した前記受信状態要求命令を、前記情報受信手段を用いて受信したときに、前記鍵データを受信可能な状態に移行すると共に、前記受信状態送信手段を用いて、前記鍵データを受信可能な状態である旨の情報を前記送信機器に送信した後、前記送信機器が送信した前記鍵データを、前記情報受信手段を用いて受信し、受信した前記鍵データを前記鍵データ記録手段に記録するものである。
【００１０】
請求項４に記載の発明は、請求項３に記載の再生装置において、前記送信機器とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１１】
請求項１及び３の発明によれば、再生装置は、ＨＤＭＩケーブルを介して接続された送信機器が送信した鍵データを受信し、受信した鍵データを鍵データ記録手段に記録する。そのため、従来と異なり、鍵データの書込みを行うための専用ケーブルや、この専用ケーブルを接続するための専用の接続端子を送信機器と再生装置に設ける必要がなくなるので、簡易な構成で鍵データの書込みを行うことができると共に、製造コストを抑制することができる。
【図面の簡単な説明】
【００１２】
【図１】本発明の一実施形態に係る送信機器と、この送信機器に接続されたＤＶＤレコーダとを含むＨＤＣＰキーデータ記録システムの概略構成図。
【図２】上記ＤＶＤレコーダの内部構成を示すブロック図。
【図３】上記ＤＶＤレコーダのＨＤＣＰキーの書込み処理の手順を示すフローチャート。
【発明を実施するための最良の形態】
【００１３】
以下、本発明の一実施形態に係る送信機器とＤＶＤレコーダ（再生装置）とを含むＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）キーデータ記録システム（鍵データ記録システム）について、図１及び図２を参照して説明する。
【００１４】
図１は、送信機器２と、この送信機器２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたＤＶＤレコーダ３とを含むＨＤＣＰキーデータ記録システム１の概略構成を示し、図２は、ＤＶＤレコーダ３の内部構成を示す。
【００１５】
送信機器２は、ＨＤＣＰ認証を行うための鍵データ（以下、ＨＤＣＰキーという）を送信するものである。ＤＶＤレコーダ３は、ＤＶＤディスクｄを再生したり、送信機器２から送信されたＨＤＣＰキーを書込むものである。
【００１６】
送信機器２及びＤＶＤレコーダ３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基くコマンドと、コマンドに対するレスポンスデータとを送受信可能である。
【００１７】
送信機器２は、送信機器２の筐体外部に露出するように設けられたＨＤＭＩ端子部（送信機器側ＨＤＭＩ端子）２１と、メモリ２２と、通信部（受信状態要求命令送信手段、鍵データ送信手段）２３とを備える。ＨＤＭＩ端子部２１には、ＤＶＤレコーダ３と接続されたＨＤＭＩケーブル４の一端が接続される。メモり２２には、ＨＤＭＩケーブル４を介して接続されたＤＶＤレコーダ３に書込まれるＨＤＣＰキーのリストであるＨＤＣＰキーリスト２２ａが記憶されている。
【００１８】
通信部２３は、ＤＶＤレコーダ３に対してコマンドとレスポンスデータの送受信を行う。具体的には例えば、ＤＶＤレコーダ３に対して、ＨＤＣＰキーを受信可能である状態（受信可能モード）に移行するように要求するコマンド（以下、受信状態要求コマンドという）の送信や、ＨＤＣＰキーの送信を行う。送受信に用いられるコマンドは、ＨＤＭＩ−ＣＥＣ規格に基づくものである。
【００１９】
図２に示すように、ＤＶＤレコーダ３は、放送局から放送されるテレビ番組を受信するチューナ３１と、ユーザによって操作される操作ボタン等を有する操作部３２と、ＤＶＤレコーダ３の筐体外部に露出するように設けられたＨＤＭＩ端子部（再生装置側ＨＤＭＩ端子）３３とを備える。また、ＤＶＤレコーダ３は、各種情報が記憶されるメモリ３４と、情報を書換え可能なフラッシュメモリ３５と、ＤＶＤディスクｄが装着される光ディスクドライブ３６と、ＤＶＤレコーダ３の装置各部の制御を行う制御用マイコン３７とをさらに備える。なお、操作部３２は、リモコン装置から操作されるものであってもよい。
【００２０】
ＨＤＭＩ端子部３３には、送信機器２と接続されたＨＤＭＩケーブル４の他端が接続される。メモリ３４には、制御用マイコン３７を動作させるためのプログラム３４ａが記憶される。フラッシュメモリ（鍵データ記録手段）３５には、送信機器２から送信されるＨＤＣＰキー３５ａが書込み（記録）される。
【００２１】
光ディスクドライブ３６は、内部に装着されたＤＶＤディスクｄからのテレビ番組等のコンテンツの読み出しや、ＤＶＤディスクｄに対するテレビ番組等のコンテンツの書込みを行う。
【００２２】
制御用マイコン３７は、再生処理部３７ａと、録画処理部３７ｂと、ＨＤＣＰキー書込み部３７ｃと、通信部（情報受信手段、受信状態送信手段）３７ｄとを有する。また、制御用マイコン３７は、コンテンツデータを再生する再生モードや、コンテンツデータをＤＶＤディスクｄに記録する録画モードや、ＨＤＣＰキーを受信可能である状態で待機する受信モードや、スタンバイモード等の複数の動作モードを有する。
【００２３】
再生処理部３７ａは、チューナ３１によって受信されたテレビ番組や、光ディスクドライブ３６によってＤＶＤディスクｄから読み出されたコンテンツの再生を行い、再生されたコンテンツの映像信号及び音声信号を、例えばＨＤＭＩケーブル４を介して接続されたテレビジョン受像機（図示せず）に出力する処理を行う。
【００２４】
録画処理部３７ｂは、ユーザによる録画指示に基づいて、チューナ３１により受信されたテレビ番組をＤＶＤディスクｄに録画する録画処理の制御を行う。ＨＤＣＰキー書込み部３７ｃは、送信機器２から受信したＨＤＣＰキー３５ａをフラッシュメモリ３５に記録する。
【００２５】
通信部３７ｄは、送信機器２に対してコマンドとレスポンスデータの送受信を行う。具体的には例えば、送信機器２から送信された受信状態要求コマンドやＨＤＣＰキーの受信を行う。また、送信機器２に対して、受信モードに移行した旨を通知するコマンドや、ＨＤＣＰキーを正常にフラッシュメモリ３５に書込み（記録）した旨を通知するコマンドの送信を行う。送受信に用いられるコマンドは、ＨＤＭＩ−ＣＥＣ規格に基づくものである。
【００２６】
次に、ＤＶＤレコーダ３のＨＤＣＰキー書込み処理について、図３に示すフローチャートを参照して説明する。ここでは、予め、送信機器２とＤＶＤレコーダ３とがＨＤＭＩケーブル４を介して接続されているものとする。まず、送信機器２が通信部２３を用いてＤＶＤレコーダ３に受信状態要求コマンドを送信し（Ｓ１）、ＤＶＤレコーダ３が通信部３７ｄを用いて送信機器２から送信された受信状態要求コマンド受信すると（Ｓ２）、ＤＶＤレコーダ３の制御用マイコン３７が受信モードに移行する（Ｓ３）。
【００２７】
そして、ＤＶＤレコーダ３は、通信部３７ｄを用いて受信モードに移行した旨を通知するコマンドを送信機器２に送信する（Ｓ４）。送信機器２は通信部２３を用いてＤＶＤレコーダ３から送信された受信モードに移行した旨を通知するコマンドを受信すると、ＨＤＣＰキーリスト２２ａ内のＨＤＣＰキーのうち、このＤＶＤレコーダ３に対応したＨＤＣＰキーをＤＶＤレコーダ３に送信する（Ｓ５）。
【００２８】
そして、ＤＶＤレコーダ３は、通信部３７ｄを用いて送信機器２から受信したＨＤＣＰキー３５ａを、ＨＤＣＰキー書込み部３７ｃを用いてフラッシュメモリ３５に書込み（Ｓ６）、そして、通信部３７ｄを用いてＨＤＣＰキー３５ａを正常に書込んだ旨を通知するコマンドを送信機器２に送信し（Ｓ７）、処理を終了する。
【００２９】
上述したように、本実施形態に係るＨＤＣＰキーデータ記録システム１及びＤＶＤレコーダ３によれば、ＤＶＤレコーダ３は、ＨＤＭＩケーブル４を介して接続された送信機器２が送信したＨＤＣＰキー３５ａを受信し、受信したＨＤＣＰキー３５ａをフラッシュメモリ３５に書込むことができる。そのため、従来と異なり、ＨＤＣＰキー３５ａの書込みを行うための専用ケーブルや、この専用ケーブルを接続するための専用の接続端子をＤＶＤレコーダ３や送信機器２に設ける必要がなくなるので、簡易な構成でＨＤＣＰキー３５ａの書込みを行うことができると共に、製造コストを抑制することができる。
【００３０】
また、送信機器２とＤＶＤレコーダ３とは、ＣＥＣ規格に従ってコマンドの送受信を行うので、独自プロトコルに対応した専用機器や専用ソフトウェア等の導入コストをかける必要がない。従って、送信機器２とＤＶＤレコーダ３との製造コストを抑制することができる。
【００３１】
なお、本発明は、上記実施形態の構成に限られず、発明の趣旨を変更しない範囲で種々の変形が可能である。例えば、上記の実施形態において、請求項における再生装置がＤＶＤレコーダである例を示したが、本発明をハードディスクレコーダに適用してもよい。
【符号の説明】
【００３２】
１  ＨＤＣＰキーデータ記録システム（鍵データ記録システム）
２  送信機器
３  ＤＶＤレコーダ（再生装置）
４  ＨＤＭＩケーブル
２１  ＨＤＭＩ端子部（送信機器側ＨＤＭＩ端子）
２３  通信部（受信状態要求命令送信手段、鍵データ送信手段）
３３  ＨＤＭＩ端子部（再生装置側ＨＤＭＩ端子）
３５  フラッシュメモリ（鍵データ記録手段）
３７ｄ  ＣＥＣ通信部（情報受信手段、受信状態送信手段）
【図１】
2010277651.tif 000003
【図２】
2010277651.tif 000004
【図３】
2010277651.tif 000005